(57)【要約】【課題】  省スペース化、コスト削減及び工数の削減を図ることができる電気光学装置及びこの電気光学装置を搭載した電子機器を提供すること。【解決手段】  液晶パネル２及びスピーカ３にそれぞれ電気的に接続されたコネクタ端子１８及び１９が一つの接続端子群としてフレキシブル基板４のコネクタ部分４ｃに形成されているので、液晶パネル２及びスピーカ３から例えば外部機器やドライバ等に接続するコネクタを一つで済ませることができる。これにより、液晶パネル２及びスピーカ３について別々にコネクタを設ける必要がなく、不要となったコネクタの分だけ省スペース化を図ることができ、コストを削減することもでき、コネクタを接続する工数を削減することもできる。【選択図】  図１
2005284053.tif 000002
【特許請求の範囲】
【請求項１】
電気光学材料を保持する基板を有する電気光学パネルと、
前記電気光学パネルと近接して設けられた発音体と、
一部分が前記電気光学パネルと接合され、他部分に当該電気光学パネルとの接合部を介して前記電気光学パネルと電気的に接続される第１の接続端子と前記発音体に電気的に接続される第２の接続端子とを有する外部に接続する為の接続端子群が形成された第１の基材と
を具備することを特徴とする電気光学装置。
【請求項２】
前記発音体は前記第１の基材と電気的に接続するための端子部を備え、
前記電気光学パネルは矩形状であり、前記発音体は、当該発音体の前記端子部が前記電気光学パネルの前記第１の基材側の隅部に重なるように配置されていることを特徴とする請求項１に記載の電気光学装置。
【請求項３】
前記発音体は前記電気光学パネルと同一のケース内に一体的に設けられていることを特徴とする請求項１に記載の電気光学装置。
【請求項４】
前記第１の基材は、前記発音体に接合され、
前記第２の接続端子は、当該発音体との接合部を介して前記発音体と電気的に接続される
ことを特徴とする請求項１乃至請求項３のうちいずれか一項に記載の電気光学装置。
【請求項５】
一端が前記発音体に接合され、他端が前記第１の基材に接合された第２の基材を更に具備し、
前記第２の接続端子は、前記第２の基材を介して前記発音体と電気的に接続される
ことを特徴とする請求項１乃至請求項３のうちいずれか一項に記載の電気光学装置。
【請求項６】
一端が前記発音体に接続され、他端が前記第１の基材に接合された配線部材を更に具備し、
前記第２の接続端子は、前記配線部材を介して前記発音体と電気的に接続される
ことを特徴とする請求項１乃至請求項３のうちいずれか一項に記載の電気光学装置。
【請求項７】
前記第２の接続端子は、前記接続端子群の端部に形成されることを特徴とする請求項１乃至請求項６のうちいずれか一項に記載の電気光学装置。
【請求項８】
前記第２の接続端子は、前記接続端子群の中央部に形成されることを特徴とする請求項１乃至請求項６のうちいずれか一項に記載の電気光学装置。
【請求項９】
前記第１及び第２の基材はフレキシブル基板であることを特徴とする請求項１乃至請求項８に記載の電気光学装置。
【請求項１０】
請求項１乃至請求項９のうちいずれか一項に記載の電気光学装置を搭載し、
前記接続端子群と接続されるコネクタを備えたことを特徴とする電子機器。
【発明の詳細な説明】
【技術分野】
【０００１】
本発明は、スピーカ等の発音体を有する電気光学装置及びこの電気光学装置が搭載された電子機器に関する。
【背景技術】
【０００２】
液晶装置等の電気光学装置は、例えば携帯電話やパーソナルコンピュータ等の電子機器の表示部として用いられる。近年、このような電子機器は様々な機能を有するようになっており、これに伴って必要となる部品点数も多くなっている。このため、必要な部品を電子機器の筐体内に効率的に収容することが求められる。例えば、液晶装置とスピーカとを対向させ、近接して収容することで省スペース化を図った携帯通信端末器が開示されている（例えば、特許文献１参照。）。
【特許文献１】特開２００２−７７３４６号公報（[０００９]〜[００１３]  図１）
【発明の開示】
【発明が解決しようとする課題】
【０００３】
しかしながら、上記の携帯通信端末器では、表示部のリード端子とスピーカのリード端子とが別々に設けられており、例えば外部の駆動ドライバ等と接続するコネクタも別々に設けられる。このため、各コネクタを収容するスペースを確保する必要があり、複数のコネクタを必要とする分コストもかかり、コネクタをそれぞれ接続するため工数が多くなり組み立てに手間もかかる、といった問題がある。
【０００４】
以上のような事情に鑑み、本発明の目的は、省スペース化、コスト削減及び工数の削減を図ることができる電気光学装置及びこの電気光学装置を搭載した電子機器を提供することにある。
【課題を解決するための手段】
【０００５】
上記目的を達成するために、本発明の主たる観点に係る電気光学装置は、電気光学材料を保持する基板を有する電気光学パネルと、前記電気光学パネルと近接して設けられた発音体と、一部分が前記電気光学パネルと接合され、他部分に当該電気光学パネルとの接合部を介して前記電気光学パネルと電気的に接続される第１の接続端子と前記発音体に電気的に接続される第２の接続端子とを有する外部に接続する為の接続端子群が形成された第１の基材とを具備することを特徴とする。
【０００６】
ここで、「電気的に接続」とは、例えば配線や導電粒子等により、電気光学パネルと第１の接続端子、発音体と第２の接続端子の間を電気的に導通することをいう。
【０００７】
本発明では、電気光学パネル及び発音体にそれぞれ電気的に接続された第１及び第２の接続端子が一つの接続端子群として第１の基材に形成されているので、例えば電気光学パネル及び発音体から外部の駆動ドライバ等に接続するコネクタを一つで済ませることができる。これにより、電気光学パネル及び発音体について別々にコネクタを設ける必要がなく、不要となったコネクタの分省スペース化を図ることができ、コストを削減することもでき、コネクタを接続する工数を削減することもできる。
【０００８】
本発明の一の形態によれば、前記発音体は前記第１の基材と電気的に接続するための端子部を備え、前記電気光学パネルは矩形状であり、前記発音体は、当該発音体の前記端子部が前記電気光学パネルの前記第１の基材側の隅部に重なるように配置されていることを特徴とする。端子部が第１の基材側の隅部に重なるように配置されることで、発音体が電気光学パネルに対して斜めに配置される。これにより、当該電気光学パネルに接続される第１の基材の脇に発音体の配線や端子を設けることで、例えば配線の引き廻しが容易になり、また、電気光学パネルと発音体のコネクタを統一しやすくすることができる。
【０００９】
本発明の一の形態によれば、前記発音体は前記電気光学パネルと同一のケース内に一体的に設けられていることを特徴とする。電気光学パネルと発音体とを同一のケース内に一体的に形成した場合、発音体が音を発するときの振動が電気光学パネルの表示特性に影響を及ぼさないように予め位置を調節したり支持体を配置させたりしておくことができる。例えば電子機器に搭載する際にこのような調節等をしなくても済むため、製造に要する手間と時間とを省くことができる。さらに、一体的に形成することで、例えば電子機器等に収容しやすくなる。
【００１０】
本発明の一の形態によれば、前記第１の基材は、前記発音体に接合され、前記第２の接続端子は、当該発音体との接合部を介して前記発音体と電気的に接続されることを特徴とする。これにより、第１の接続端子と電気光学パネルとを接続する配線のみならず、第２の接続端子と発音体とを接続する配線についても第１の基材上に形成することができ、電気光学パネル及び発音体に接続される配線を第１の基材上に纏めて形成することもできるので、電気光学装置の製造が容易になる。
【００１１】
本発明の一の形態によれば、一端が前記発音体に接合され、他端が前記第１の基材に接合された第２の基材を更に具備し、前記第２の接続端子は、前記第２の基材を介して前記発音体と電気的に接続されることを特徴とする。これにより、第１の基材に接合された電気光学パネルと第２の基材に接合された発音体とを別個に形成することができる。また、第２の基材自体についても第１の基材と別個に形成することができるため、例えば電子機器に搭載したときに他部品の配置に合わせて第２の基材の形状を自在に設計することができる。これにより、例えば電子機器によって他部品の配置が異なる場合、第２の基材のみを変形させるようにすれば済むので、種々の電子機器に対応することが可能となる上、製造コストを削減することもできる。また、発音体又は第２の基材に不良が発生した場合に容易に交換を行うことができるし、電気光学パネルと発音体とを別々に検査することもできる。
【００１２】
本発明の一の形態によれば、一端が前記発音体に接続され、他端が前記第１の基材に接合された配線部材を更に具備し、前記第２の接続端子は、前記配線部材を介して前記発音体と電気的に接続されることを特徴とする。ここで、配線部材としては、例えばハーネス等が用いられる。このような配線部材を用いることで、配線の自由度が向上し、省スペースを図ることができる。
【００１３】
本発明の一の形態によれば、前記第２の接続端子は、前記接続端子群の端部に形成されることを特徴とする。これにより、第２の基材及び配線部材を短く形成することができる上に、第２の基材及び配線部材に形成される配線も短く形成することができる。例えば、発音体が接続端子群が形成される端子部を有し、電気光学パネルに対して発音体を斜めに配置した場合、端子部が電気光学パネルの角部に配置されることになる。この場合、第２の接続端子を当該端子部に近い位置に設けることにより第２の基材及び配線を短く形成できる点で効果的である。
【００１４】
本発明の一の形態によれば、前記第２の接続端子は、前記接続端子群の中央部に形成されることを特徴とする。これにより、第２の基材及び配線部材を短く形成することができる上に、第２の基材及び配線部材に形成される配線も短く形成することができる。例えば、発音体が接続端子群が形成される端子部を有し、電気光学パネルに対して発音体を真っ直ぐに配置した場合、端子部が電気光学パネルの一辺の中央部に配置されることになる。この場合も、第２の接続端子を当該端子部に近い位置に設けることにより第２の基材及び配線を短く形成できる点で効果的である。
【００１５】
本発明の一の形態によれば、前記第１及び第２の基材はフレキシブル基板であることを特徴とする。ここで、「フレキシブル基板」とは、可撓性を有し、外力に対して変形可能な性質を有する基板をいう。これにより、他部品の配置に応じて柔軟に変形させることができるため、例えば電気光学装置に搭載したときに省スペース化を図ることができる。また、第１及び第２の基材又は配線部材に外力が加わったときでも、応力により配線が切断されることがないので、接続の信頼性を高めることができる。
【００１６】
本発明の別の観点に係る電子機器は、上記の電気光学装置を搭載したことを特徴とする。
【００１７】
本発明によれば、各部品が効率よく収容され、低コストで、製造の手間がかからない電子機器を得ることができる。
【発明を実施するための最良の形態】
【００１８】
以下、本発明の第１の実施形態を図面に基づき説明する。以下の各実施形態においては電気光学装置として、発音体付液晶装置１を例に挙げて説明する。
【００１９】
図１は、本実施形態に係る発音体付液晶装置１の分解斜視図である。図２は、この発音体付液晶装置１を組み立てたときの平面図である。
【００２０】
発音体付液晶装置１は、液晶パネル２、発音体３、フレキシブル基板４を有し、例えばパッケージ５に一体的に収容される。必要に応じてバックライトＬ等の照明装置やその他の付帯機器（図示省略）が付設される。ここで、発音体付液晶装置１に用いられる液晶装置としては、ＴＦＴ（Ｔｈｉｎ  Ｆｉｌｍ  Ｔｒａｎｓｉｓｔｏｒ）アクティブマトリクス型、パッシブマトリクス型、ＴＦＤ（Ｔｈｉｎ  Ｆｉｌｍ  Ｄｉｏｄｅ）アクティブマトリクス型の液晶装置などのいずれであってもよく、更に本発明は液晶装置に限らず、例えば無機あるいは有機のエレクトロルミネッセンス装置、プラズマディスプレイ装置、電気泳動ディスプレイ装置、電子放出素子を用いた装置等、他の電気光学装置にも適用可能である。以下、発音体付液晶装置１に用いられる液晶装置として、ＴＦＴアクティブマトリクス型を例に挙げて説明する。
【００２１】
液晶パネル２は、基板６及び７を有する。基板６及び基板７は、例えばガラスや合成樹脂といった透光性を有する材料からなる板状部材であり、シール材８を介して対向するように貼り合わされる。基板６の内側（液晶側）表面には、Ｘ方向にゲート電極、Ｙ方向にソース電極が形成され、画素ごとに画素電極が形成される（図示省略）。ゲート電極及びソース電極は、例えばＩＴＯ（Ｉｎｄｉｕｍ  Ｔｉｎ  Ｏｘｉｄｅ：インジウムスズ酸化物）などの透明導電材料によって形成される。各画素には、ゲート電極、ソース電極及び画素電極に３端子のそれぞれが接続されたトランジスタが設けられる（図示省略）。基板６、基板７の間隙には、液晶が封止される。基板６は、基板７の外周縁から張り出した領域（以下、「張り出し部」と表記する）６ａを有する。張り出し部６ａの面上には、ゲート電極、ソース電極から引き廻された配線が接続される端子群６ｂが形成される。
【００２２】
発音体３は、発音体本体３ａ、端子部３ｂを有する。発音体本体３ａの内部には圧電振動子（図示省略）が設けられる。端子部３ｂには、発音体本体３ａ内部の圧電振動子と電気的に接続された２本の端子を有する端子群３ｃが形成される。
【００２３】
フレキシブル基板４は、例えばポリイミド等の樹脂で形成され、液晶パネル２及び発音体３とそれぞれ接合される。
【００２４】
このフレキシブル基板４は、液晶パネル２に接合される本体部分４ａと、発音体３に接合される分岐部分４ｂと、例えば外部機器やドライバ等と接続されるコネクタ部分４ｃとを有する。分岐部分４ｂは、本体部分４ａを迂回するように形成され、コネクタ部分４ｃは、本体部分４ａから例えば凸状に張り出すように形成される。本体部分４ａは接合部１０、端子群１１、配線１２、１３、液晶パネル２の駆動用ドライバ１４を有し、分岐部分４ｂは接合部１５、端子群１６、配線１７を有し、コネクタ部分４ｃはコネクタ端子１８及び１９（コネクタ端子群）を有する。
【００２５】
接合部１０は、液晶パネル２の張り出し部６ａと接合される。接合面には端子群１１が形成される。
【００２６】
図３は、接合の様子を示す断面図である。端子群１１の各端子は、例えば異方性導電膜（ＡＣＦ：Ａｎｉｓｏｔｒｏｐｉｃ  Ｃｏｎｄｕｃｔｉｖｅ  Ｆｉｌｍ）の樹脂１０ａに含まれる導電粒子１０ｂ等を介して端子群６ｂの各端子とそれぞれ電気的に接続される。配線１２は、端子群１１と駆動用ドライバ１４とを接続する。配線１３は、駆動用ドライバ１４とコネクタ端子１８とを接続する。配線１２及び配線１３には、駆動用ドライバ１４と接続する部分に、接続用端子（図示省略）が形成される。駆動用ドライバ１４は、例えばＡＣＦを介してフレキシブル基板４上に実装される。駆動用ドライバ１４には、フレキシブル基板４と対向する面に例えばバンプ電極群が設けられ、各バンプ電極と配線１２及び１３の接続用端子とが例えばＡＣＦに含まれる導電粒子を介して電気的に接続されるようになっている。
【００２７】
一方、接合部１５は、発音体３の端子部３ｂと接合される。接合面には端子群１６が形成される。端子群１６の各端子は、接合部１０と同様に、例えばＡＣＦに含まれる導電粒子等を介して端子群３ｃの各端子と電気的に接続される。配線１７は、分岐部分４ｂに沿って形成され、端子群１６の各端子とコネクタ端子１９とを接続する。
【００２８】
コネクタ端子１８及び１９は、コネクタ部分４ｃに例えば等ピッチで配列される。液晶パネル２及び発音体３は、当該コネクタ端子１８及び１９を介して、外部機器やドライバ等と接続されるようになっている。このコネクタ部分４ｃにより、液晶パネル２及び発音体３を纏めて外部に接続できるようになっている。
【００２９】
パッケージ５は、パネルホルダ５ａ、発音体ホルダ５ｂ、パッケージ筐体５ｃを有する。パネルホルダ５ａは液晶パネル２やバックライトＬ等を収容し、発音体ホルダ５ｂは発音体３を収容する。パッケージ筐体５ｃは、パネルホルダ５ａ及び発音体ホルダ５ｂを収容する。
【００３０】
パネルホルダ５ａは、液晶パネル２等を収容する収容部２０、フレキシブル基板４の本体部分４ａを保持するための凹部２１、パッケージ筐体５ｃに固定するための凸部２２を有する。発音体ホルダ５ｂは、発音体３を収容する収容部２３、フレキシブル基板４の分岐部分４ｂを保持するための凹部２４、パッケージ筐体５ｃに固定するための凸部２５を有する。パッケージ筐体５ｃは、液晶パネル２の表示部分と対応するように形成された窓部２６、パネルホルダ５ａの凸部２２と嵌合させる孔２７、発音体ホルダ５ｂの凸部２５と嵌合させる孔２８を有する。
【００３１】
パネルホルダ５ａと発音体３との間には、発音体３が音を発する際の振動を緩和するために例えば支持体３ｄを介挿しても良い。同様に、発音体ホルダ５ｂの収容部２３には例えば中心部に孔を有する支持体３ｅを設置しても良い。また、パネルホルダ５ｂには、支持体３ｅの中心部の孔と連通するように放音孔を設けるようにしてもよい（図示省略）。
【００３２】
図４は、このように構成された発音体付液晶装置１が用いられた携帯電話３０の全体構成を示す図である。
【００３３】
携帯電話３０は、ケース体３０ａ、操作部３０ｂと、表示部３０ｃとを有する。操作部３０ｂには、前面に操作ボタン３０ｄが配列され、送話部３０ｅにマイクが内蔵される。表示部３０ｃには、本実施形態に係る発音体付液晶装置１が内蔵される。
【００３４】
図５は、表示部３０ｃの内部構成を示す図である。
【００３５】
表示部３０ｃの内部には、発音体付液晶装置１、回路基板３２が設けられる。
【００３６】
回路基板３２には、制御用ドライバ３３、コネクタ３４が設けられ、この制御用ドライバ３３やコネクタ３４等を接続する駆動回路（図示省略）が形成される。制御用ドライバ３３は、発音体付液晶装置１の動作を制御する。コネクタ３４は、発音体付液晶装置１との接続部であり、接続部材３５及びコネクタ端子３６を有する。接続部材３５は、例えばフレキシブル基板４のコネクタ部分４ｃを差し込んで固定することができるようになっている。コネクタ端子３６は、接続部材３５にコネクタ部分４ｃを差し込んで固定する際に、コネクタ端子１８及び１９とそれぞれ接続されるように配列される。
【００３７】
次に、本実施形態に係る発音体付液晶装置１及び携帯電話３０の製造工程について説明する。
【００３８】
まず、液晶パネル２を製造する。基板６上にゲート電極及びソース電極の材料であるＩＴＯ等を例えばスパッタリング法により被着し、フォトリソグラフィ法によってパターニングする。ゲート電極及びソース電極の上には、オーバーコート層を形成し、その上に配向膜を形成する。配向膜にラビング処理を施す。ゲート電極及びソース電極を形成する際に、張り出し部６ａの端子群６ｂ等を同時に形成してもよい。基板７上には、同様の方法で共通電極を形成し、その上にオーバーコート層及び配向膜を形成する。基板７上にギャップ材をドライ散布等により散布し、シール材８を介して基板６と基板７とを貼り合わせる。シール材８の開口部から液晶を注入し、シール材８の開口部を紫外線硬化性樹脂等の封止材によって封止する。貼り合わされた基板６及び基板７の各外面に偏光板等を貼り付ける。
【００３９】
次に、フレキシブル基板４を製造する。本体部分４ａ、分岐部分４ｂ及びコネクタ部分４ｃの形状は、予め設計し、型を形成しておく。型により形成されたフレキシブル基板４に端子群１１及び１６、配線１２、１３及び１７、コネクタ端子１８及び１９を形成し、駆動用ドライバ１４を実装する。このように、フレキシブル基板４上には、液晶パネル２及び発音体３に接続される配線や端子等が纏めて形成される。
【００４０】
次に、フレキシブル基板４の接合部１０及び１５を、それぞれ液晶パネル２及び発音体３に接合する。液晶パネル２については、張り出し部５ａ上の端子群６ｂを覆うように例えばＡＣＦを貼着する。ＡＣＦの上に端子群６ｂに対応して端子群１１が位置するようにフレキシブル基板４を配置する。ＡＣＦを加熱するように接合部１０を押圧し、ＡＣＦ中の例えば導電粒子を介して端子群６ｂと端子群１１との間に導電性を持たせるように接合する。発音体３についても同様に、例えばＡＣＦを用いて、端子部３ｂ上の端子群３ｃとフレキシブル基板４上の端子群１６との間に導電性を持たせるように接合する。フレキシブル基板４を液晶パネル２及び発音体３に接合した後、液晶パネル２及び発音体３の点灯試験等を行う。
【００４１】
次に、液晶パネル２をパネルホルダ５ａに収容し、発音体３を発音体ホルダ５ｂに収容する。パネルホルダ５ａには、まずバックライトＬを収容し、バックライトＬに重ねるように液晶パネル２及び付帯機器等を収容する。発音体ホルダ５ｂの収容部２３には、例えば予め設計した位置に支持体３ｅを配置し、支持体３ｅ上に発音体３を収容する。このとき、液晶パネル２及び発音体３に接合されたフレキシブル基板４が、それぞれパッケージの凹部２１及び２４に保持されるようにする。
【００４２】
次に、パッケージ筐体５ｃに、液晶パネル２が収容されたパネルホルダ５ａと、発音体３が収容された発音体ホルダ５ｂとを収容する。まず、パネルホルダ５ａの凸部２２をパッケージ筐体５ｃの孔２７に嵌合させる。次に、例えば予め設計しておいた位置に支持体３ｄを介挿して、発音体ホルダ５ｂの凸部２５をパッケージ筐体５ｃの孔２８に嵌合させる。このように、発音体付液晶装置１が完成する。
【００４３】
次に、完成した発音体付液晶装置１を携帯電話３０に組み込み、コネクタ部分４ｃを接続部材３５に接続する。予め、コネクタ端子１８及び１９とコネクタ端子３６との位置を合わせてあるので、コネクタ部分４ｃを接続部材３５に差し込んで固定することで、接続が完了する。
【００４４】
本実施形態によれば、液晶パネル２及び発音体３にそれぞれ電気的に接続されたコネクタ端子１８及び１９が一つの接続端子群としてフレキシブル基板４のコネクタ部分４ｃに形成されているので、液晶パネル２及び発音体３から例えば外部機器やドライバ等に接続するコネクタを一つで済ませることができる。これにより、液晶パネル２及び発音体３について別々にコネクタを設ける必要がなく、不要となったコネクタの分だけ省スペース化を図ることができ、コストを削減することもでき、コネクタを接続する工数を削減することもできる。
【００４５】
次に、本発明に係る第２の実施形態を説明する。第１の実施形態とはフレキシブル基板の構成が異なるので、その点を中心に説明する。第１の実施形態の構成要素と共通する構成要素については、第１の実施形態と同一の符号を付しその説明を省略する。
【００４６】
図６は、本実施形態に係る発音体付液晶装置２０１の構成を示す図である。図７は、この発音体付液晶装置２０１を組み立てたときの平面図である。
【００４７】
発音体付液晶装置２０１は、液晶パネル２、発音体３、パネル用フレキシブル基板４０、発音体用フレキシブル基板４１、パッケージ５を有する。
【００４８】
パネル用フレキシブル基板４０は、液晶パネル２に接合される本体部分４０ａと、例えば外部機器やドライバ等と接続されるコネクタ部分４０ｂとを有する。本体部分４０ａは、接合部１０、端子群１１、配線１２、１３、液晶パネル２の駆動用ドライバ１４、接合部４２、端子群４３、配線４４を有する。コネクタ部分４０ｂは、例えば本体部分４０ａから凸状に張り出すように形成され、コネクタ端子１８及び１９を有する。
【００４９】
接合部４２は、発音体用フレキシブル基板４１を接合する領域であり、端子群４３が形成される。配線４４は、端子群４３の各端子とコネクタ端子１９とを接続する。
【００５０】
一方、発音体用フレキシブル基板４１は、接合部４５及び４６、端子群４７及び４８、配線４９が設けられ、例えばパネル用フレキシブル基板４０を迂回するように形成される。発音体用フレキシブル基板４１の形状は、例えば携帯電話３０に収容する際に他の部品の位置と関係により臨機応変に設計するようにする。
【００５１】
接合部４５は、発音体３の端子部３ｂと接合し、接合部４６は、パネル用フレキシブル基板４０の接合部４２と接合する。端子群４７は、接合部４５に形成され、端子群３ｃと接続される。端子群４８は、接合部４６に形成され、パネル用フレキシブル基板４０の接合部４２に形成される端子群４３と接続される。端子群３ｃと端子群４７との接続及び端子群４３と端子群４８との接続は、例えば半田付け等により行われる。ＡＣＦに含まれる導電粒子を介して電気的に接続するようにしても勿論構わない。配線４９は、発音体用フレキシブル基板４１の形状に合うように形成され、端子群４７と端子群４８とを接続する。
【００５２】
次に、本実施形態に係る発音体付液晶装置２０１の製造工程について説明する。ここでは、パネル用フレキシブル基板４０及び発音体用フレキシブル基板４１の製造を中心に説明する。
【００５３】
パネル用フレキシブル基板４０及び発音体用フレキシブル基板４１の形状は、予め設計し、型を形成しておく。特に、発音体用フレキシブル基板４１の形状は、例えば携帯電話等の電子機器に搭載される他の部品の配置に合わせて設計する。
【００５４】
型により形成されたパネル用フレキシブル基板４０には、接合部１０、端子群１１、配線１２、１３、端子群４３、配線４４、コネクタ端子１８及び１９を形成し、駆動用ドライバ１４を実装する。一方、発音体用フレキシブル基板４１には、端子群４７及び４８、配線４９を形成する。
【００５５】
次に、例えばＡＣＦを介して、パネル用フレキシブル基板４０の接合部１０を液晶パネル２の張り出し部６ａに接合し、端子群１１を端子群６ｂに接続する。同様に、発音体用フレキシブル基板４１の接合部４５を発音体３の端子部３ｂに接合し、端子群４７を端子群３ｃに接続する。
【００５６】
本実施形態によれば、発音体用フレキシブル基板４１自体についても、パネル用フレキシブル基板４０と別個に形成したので、携帯電話３０に搭載したときに他部品の配置に合わせて発音体用フレキシブル基板４１の形状を自在に設計することができる。これにより、例えば電子機器によって他部品の配置が異なる場合、発音体用フレキシブル基板４１のみを変形させるようにすれば済むので、種々の電子機器に対応することが可能となる上、コストを削減することもできる。また、発音体３又は発音体用フレキシブル基板４１に不良が発生した場合に容易に交換を行うことができるし、液晶パネル２と発音体３とを別々に検査することもできる。
【００５７】
次に、本発明に係る第３の実施形態を説明する。第１の実施形態とはフレキシブル基板の構成が異なるので、その点を中心に説明する。第１の実施形態の構成要素と共通する構成要素については、第１の実施形態と同一の符号を付しその説明を省略する。
【００５８】
図８は、本実施形態に係る発音体付液晶装置３０１の構成を示す図である。図９は、この発音体付液晶装置３０１を組み立てたときの平面図である。
【００５９】
発音体付液晶装置３０１は、液晶パネル２、発音体３、パネル用フレキシブル基板４０、ハーネス５０、パッケージ５を有する。
【００６０】
パネル用フレキシブル基板４０は、液晶パネル２に接合される本体部分４０ａと、例えば外部機器やドライバ等と接続されるコネクタ部分４０ｂとを有する。本体部分４ａには接合部１０、端子群１１、配線１２、１３、液晶パネル２の駆動用ドライバ１４、端子群４３、配線４４が設けられる。コネクタ部分４０ｂは、例えば本体部分４０ａから凸状に張り出すように形成され、コネクタ端子１８及び１９を有する。
【００６１】
端子群４３は、ハーネス５０に接続される。配線４４は、端子群４３の各端子とコネクタ端子１９とを接続する。
【００６２】
一方、ハーネス５０には、接続部５２が設けられる。接続部５２は、パネル用フレキシブル基板４０に形成された端子群４３と接続される。端子群４３と接続部５２との接続は、例えば半田付け等により行われるが、ＡＣＦを用いても勿論構わない。
【００６３】
図１０は、本実施形態に係る発音体付液晶装置３０１を搭載した携帯電話３０の表示部３０ｃ内部構成を示す図である。
【００６４】
表示部３０ｃの内部には、発音体付液晶装置３０１、回路基板３２が設けられている。
【００６５】
配線状のハーネス５０がパネル用フレキシブル基板４０に沿うように接続されており、表示部３０ｃ内部のスペースを有効に活用している。
【００６６】
次に、本実施形態に係る発音体付液晶装置１の製造工程について説明する。ここでは、パネル用フレキシブル基板４０の製造を中心に説明する。
【００６７】
パネル用フレキシブル基板４０の形状は、予め設計し、型を形成しておく。型により形成されたパネル用フレキシブル基板４０には、接合部１０、端子群１１、配線１２、１３、端子群４３、配線４４、コネクタ端子１８及び１９を形成し、駆動用ドライバ１４を実装する。
【００６８】
次に、例えばＡＣＦを介して、パネル用フレキシブル基板４０の接合部１０を液晶パネル２の張り出し部６ａに接合し、端子群１１を端子群６ｂに接続する。
【００６９】
次に、液晶パネル２をパネルホルダ５ａに収容し、発音体３を発音体ホルダ５ｂに収容する。パネルホルダ５ａについては、収容部２０にバックライトＬを収容し、パネル用フレキシブル基板４０が凹部２１に保持されるように、バックライトＬに重ねて液晶パネル２等を収容する。一方、発音体ホルダ５ｂについては、収容部２３に支持体３ｅを配置し、ハーネス５０が凹部２４に保持されるように、支持体３ｅ上に発音体３を収容する。
【００７０】
次に、例えば半田付け等により、ハーネス５０の接続部５２をパネル用フレキシブル基板４０の端子群４３と接続し、発音体付液晶装置１が完成する。
【００７１】
本実施形態によれば、このような配線状のハーネス５０を用いることで、配線の自由度が向上し、かつ省スペース化を図ることができる。また、ハーネス５０に外力が加わったときでも、応力により配線が切断されることがないので、接続の信頼性を高めることができる。
【００７２】
次に、本発明に係る第４の実施形態を説明する。第１の実施形態とは発音体３の配置が異なるので、その点を中心に説明する。第１の実施形態の構成要素と共通する構成要素については、第１の実施形態と同一の符号を付しその説明を省略する。
【００７３】
図１１は、本実施形態に係る発音体付液晶装置４０１の平面図である。
【００７４】
発音体３は、発音体本体３ａ、端子部３ｂを有し、例えば矩形に形成された発音体ホルダ５ｂに収容される。発音体本体３ａの内部には圧電振動子（図示省略）が設けられる。端子部３ｂは、発音体ホルダ５ｂの角部に収容され、発音体３が液晶パネル２に対して傾くように配置される。この結果、端子部３ｂは、図１２に示すように、例えば液晶パネル２に対して右側の角部に配置されることになるが、左側の角部に配置するようにしても勿論構わない。また、端子部３ｂの端子群３ｃは、端子群１６を介してフレキシブル基板４の分岐部分４ｂに接続される。配線１７は、本体部分４ａを迂回するように形成された分岐部分４ｂに沿って、端子群３ｃとコネクタ部分４ｃのコネクタ端子１９とを接続する。コネクタ端子１９は、端子部３ｂの位置（右側の角部）に対応するように、例えばコネクタ端子群の右端部に配置させておく。
【００７５】
発音体３との接続については、例えば図１２に示すように、コネクタ端子１９を有するパネル用フレキシブル基板４０と配線４９が形成された発音体用フレキシブル基板４１とを用いても良いし、図１３に示すように、コネクタ端子１９が形成されたパネル用フレキシブル基板４０と、ハーネス５０とを用いても良い。図１２及び図１３の場合についても、コネクタ端子１９は、端子部３ｂの位置（右側の角部）と対応するように、接続端子群の右端部に配置する。また、発音体用フレキシブル基板４１が保持されるように、発音体ホルダ５ｂの角に凹部２４が設けられるようにする（図示省略）。
【００７６】
このように構成すれば、分岐部分４ｂ、発音体用フレキシブル基板４１又はハーネス５０を短く形成することができる。また、これに伴って分岐部分４ｂ上の配線１７、発音体用フレキシブル基板４１上の配線４９についても短く形成できる。これにより、製造が容易になり、コストを削減することができる。また、端子部３ｂがスピーカホルダ５ｂの角部に収容されるので、スピーカホルダ５ｂの角部のデッドスペースを有効に活用することができる。例えば、端子部３ｂを角部に収容した場合には、スピーカホルダ５ｂの一辺の中央付近に収容した場合と比べて、スピーカホルダ５ｂの収容部２３の上下方向に空きスペースが形成され、その分スピーカホルダ５ｂの大きさを小さくすることができる。これにより、パネルホルダ５ａ、パッケージ５を含めたモジュール全体を小型化することができ、効率的な収容を図ることができる。また、発音体３が液晶パネル２に対して斜めに配置されているので、液晶パネル２に接続されたフレキシブル基板（フレキシブル基板４又はパネル用フレキシブル基板４０）の端部に配線（配線１７又は配線４４）や端子群４３を設けることができる。これにより、液晶パネル２と発音体３のコネクタ（コネクタ部４ｃ又は４０ｂ）を容易に統一することができる。
【００７７】
次に、本発明に係る第５の実施形態を説明する。第１の実施形態とはフレキシブル基板の構成が異なるので、その点を中心に説明する。第１の実施形態の構成要素と共通する構成要素については、第１の実施形態と同一の符号を付しその説明を省略する。
【００７８】
図１４は、本実施形態に係る発音体付液晶装置５０１の平面図である。
【００７９】
発音体３は、発音体本体３ａ、端子部３ｂを有し、発音体ホルダ５ｂに収容される。発音体本体３ａの内部には圧電振動子（図示省略）が設けられる。端子部３ｂは、収容部２３の一側面のほぼ中央部に収容される。この結果、端子部３ｂは、図１１に示すように、例えば張り出し部６ａの中央部近傍に対応する位置に配置されることになる。また、端子部３ｂの位置（張り出し部の中央部）と対応するように、接続端子群の中央部にコネクタ端子１９を配置させるようにする。
【００８０】
端子部３ｂとコネクタ端子１９との接続には、例えば発音体用フレキシブル基板４１を用いる。発音体用フレキシブル基板４１は、端子部３ｂと接続される端子群４７、端子群４３と接続される端子群４８、端子群４７及び端子群４８を接続する配線４９を有している。この発音体用フレキシブル基板４１については、パネル用フレキシブル基板４０の端部を迂回するように接続するのではなく、図１５のように、発音体３の端子群３ｃとパネル用フレキシブル基板４０の端子群４３とを真っ直ぐに接続する。
【００８１】
このように構成すれば、発音体用フレキシブル基板４１を短く形成することができ、これに伴い、配線４９も短く形成することができる。これにより、コストを削減することができる。なお、発音体用フレキシブル基板４１を用いる代わりにハーネス５０等を用いても構わない。
【００８２】
次に、本発明の第６の実施形態に係る電子機器について説明する。
【００８３】
図１５は本実施形態に係る電子機器の表示制御系の全体構成を示す概略構成図である。
【００８４】
電子機器３００は、表示制御系として例えば液晶パネル２及び表示制御回路３９０などを備え、その表示制御回路３９０は表示情報出力源３９１、表示情報処理回路３９２、電源回路３９３及びタイミングジェネレータ３９４などを有する。
【００８５】
また、液晶パネル２には表示領域Ｇを駆動する駆動回路３６１が接続される。
【００８６】
表示情報出力源３９１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスクなどからなるストレージユニットと、デジタル画像信号を同調出力する同調回路とを備えている。更に表示情報出力源３９１は、タイミングジェネレータ３９４によって生成された各種のクロック信号に基づいて、所定フォーマットの画像信号などの形で表示情報を表示情報処理回路３９２に供給するように構成されている。
【００８７】
また、表示情報処理回路３９２はシリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫと共に駆動回路３６１へ供給する。駆動回路３６１は、走査線駆動回路、データ線駆動回路及び検査回路を含む。また、電源回路３９３は、上述した各構成要素に夫々所定の電圧を供給する。
【００８８】
このような電子機器にあっては、省スペース化、コスト削減及び工数の削減が求められている。この電子機器に搭載する発音体付液晶装置１については、液晶パネル２及び発音体３にそれぞれ電気的に接続されたコネクタ端子１８及び１９が一つの接続端子群としてフレキシブル基板４のコネクタ部分４ｃに形成されているので、液晶パネル２及び発音体３から例えば外部機器やドライバ等に接続するコネクタを一つで済ませることができる。これにより、液晶パネル２及び発音体３について別々にコネクタを設ける必要がなく、不要となったコネクタの分だけ省スペース化を図ることができ、コストを削減することもでき、コネクタを接続する工数を削減することもできる。したがって、本発明の意義は大きいといえる。
【００８９】
具体的な電子機器としては、上述の携帯電話機の他、例えばパーソナルコンピュータや液晶装置が搭載されたタッチパネル、プロジェクタ、液晶テレビやビューファインダ型、モニタ直視型のビデオテープレコーダ、カーナビゲーション、ページャ、ワードプロセッサ、ワークステーション、テレビ電話、ＰＯＳ端末等が挙げられる。これらの各種電子機器の表示部として、発音体付液晶装置１が適用可能なのは言うまでもない。
【００９０】
本発明は、以上説明した実施形態には限定されるものではなく、種々の変形が可能である。
【００９１】
例えば、上記実施形態においては、駆動ドライバがフレキシブル基板上に実装されるＣＯＦ（Ｃｈｉｐ  Ｏｎ  Ｆｌｅｘｉｂｌｅ）型の液晶装置を例にあげて説明したが、駆動ドライバが液晶パネルの張り出し部に実装されるＣＯＧ（Ｃｈｉｐ  Ｏｎ  Ｇｌａｓｓ）型の液晶装置等であっても本発明の適用は可能である。
【図面の簡単な説明】
【００９２】
【図１】本発明の第１実施形態に係る発音体付液晶装置を示す分解斜視図である。
【図２】本実施形態に係る発音体付液晶装置を示す平面図である。
【図３】本実施形態に係る発音体付液晶装置の一部を示す断面図である。
【図４】本実施形態に係る携帯電話の構成を示す斜視図である。
【図５】本実施形態に係る携帯電話の内部構成を示す斜視図である。
【図６】本発明の第２の実施形態に係る発音体付液晶装置の分解斜視図である。
【図７】本実施形態に係る発音体付液晶装置を示す平面図である。
【図８】本発明の第３の実施形態に係る発音体付液晶装置の分解斜視図である。
【図９】本実施形態に係る発音体付液晶装置を示す平面図である。
【図１０】本実施形態に係る携帯電話の内部構成を示す斜視図である。
【図１１】本発明の第４の実施形態に係る発音体付液晶装置を示す平面図である。
【図１２】本発明に係る発音体付液晶装置の変形例を示す平面図である。
【図１３】本発明に係る発音体付液晶装置の別の変形例を示す平面図である。
【図１４】本発明の第５の実施形態に係る発音体付液晶装置を示す平面図である。
【図１５】本発明の第６の実施形態に係る電子機器の構成を示すブロック図である。
【符号の説明】
【００９３】
１、２０１、３０１、４０１、５０１…発音体付液晶装置  ２…液晶パネル  ３…発音体  ４…フレキシブル基板  ４ｃ…コネクタ部分  １８、１９…コネクタ端子  ３０…携帯電話  ３０ｃ…表示部  ３４…コネクタ  ４０…パネル用フレキシブル基板  ４０ｂ…コネクタ部分  ４１…発音体用フレキシブル基板  ４５、４６…接合部  ４７、４８…端子群  ４９…配線  ５０…ハーネス  ３００…電子機器
【図１】
2005284053.tif 000003
【図２】
2005284053.tif 000004
【図３】
2005284053.tif 000005
【図４】
2005284053.tif 000006
【図５】
2005284053.tif 000007
【図６】
2005284053.tif 000008
【図７】
2005284053.tif 000009
【図８】
2005284053.tif 000010
【図９】
2005284053.tif 000011
【図１０】
2005284053.tif 000012
【図１１】
2005284053.tif 000013
【図１２】
2005284053.tif 000014
【図１３】
2005284053.tif 000015
【図１４】
2005284053.tif 000016
【図１５】
2005284053.tif 000017